(57)【特許請求の範囲】
【請求項１】
多数のバーナユニットを上面に備え、中央の第１の混合比のガス室を挟んで長手方向の両側に第２の混合比のガス室を横方向の仕切壁で分割して設け、かつ上記各々の分割室に複数のバーナユニットへ均一に分散して供給するための邪魔板を備えた箱状の分布室と、
燃料ガスと一次空気を第１の混合比のガスと第２の混合比のガスに分けて各別に前記分布室の第１の混合比のガス室と第２の混合比のガス室に供給する混合室とを備えた燃焼バーナであって、
前記分布室は、前記各ガス室の中央部を縦方向の仕切壁で分割し、かつ各分割室の底面に縦方向の仕切壁を挟んで隣接した第１の混合比のガス又は第２の混合比のガス用の導入開口を設け、前記混合室の第１の混合比のガス又は第２の混合比のガスを前記縦方向の仕切壁を挟んで隣接した第１の混合比のガス又は第２の混合比のガス用の導入開口に導入条件を同一に保って導入し内側から外側に向けて流すことを特徴とする燃焼バーナにおける混合ガス等の分布装置。
【請求項２】
上記導入開口は、比較的小さい開口面積を有していることを特徴とする請求項１記載の燃焼バーナにおける混合ガス等の分布装置。
【請求項３】
上記邪魔板は、無数の分散開口を有するパンチングメタル状の平板体であることを特徴とする請求項１記載の燃焼バーナにおける混合ガス等の分布装置。
【請求項４】
上記邪魔板は、無数の分散開口を有する網状の平板体であることを特徴とする請求項１記載の燃焼バーナにおける混合ガス等の分布装置。
【請求項５】
上記邪魔板は、各々の分割室の全体又は導入開口の上面にだけ備えられていることを特徴とする請求項１乃至４のいずれかに記載の燃焼バーナにおける混合ガス等の分布装置。
【請求項６】
上記分布室を予混合濃淡燃焼バーナに適用したことを特徴とする請求項１乃至５のいずれかに記載の燃焼バーナにおける混合ガス等の分布装置。
【請求項７】
上記分布装置を複数個並べて一体構成したことを特徴とする請求項１乃至６のいずれかに記載の燃焼バーナにおける混合ガス等の分布装置。
【発明の詳細な説明】
【０００１】
【発明の属する技術分野】
この発明は、多数のバーナユニットを並列状に備えた燃焼バーナにおいて、各々のバーナユニットへの混合ガス等の供給量、濃度などを均一化してバーナ燃焼の良好性と安定性を図った燃焼バーナにおける混合ガス等の分布装置に関する。
【０００２】
【従来の技術】
多数のバーナユニットを並列状に備えた燃焼バーナにあっては、各々のバーナユニットへ供給される混合ガス又は燃料ガス、燃焼用空気の供給量、濃度などが偏流してそのバランスが一定しないため燃焼が不安定になる。
そこで、従来より各々のバーナユニットへの混合ガス又は燃料ガス、燃焼用空気の供給量、濃度などの均一化を目的とした各種の手段が採られているが、たとえば、淡炎口で理論空燃比より燃料の希薄な燃料空気混合気（以下単に淡ガスという）を燃焼させて主炎を形成し、この淡炎口の両側の濃炎口では理論空燃比より燃料の濃い燃料空気混合気（以下単に濃ガスという）を燃焼させて袖火を形成することでリフトしやすい主炎を安定させるように保炎する形式の濃淡バーナにおいて、ガス分布の均一化を図るために主炎を形成する淡炎口の上流に狭い隙間を設けてその隙間寸法により長手方向の淡ガスの噴出量を揃える構造とし、袖火を形成する濃炎口に連なる通路の途中において両側の濃炎口に濃ガスを分割する小穴を穿って１つのノズルから共通の通路内に供給される濃ガスを小穴によって左右へ均一に分割する構造として濃、淡ガスの均一化を図っている（たとえば、特許第２６９０４４７号公報など参照）。
【０００３】
【発明が解決しようとする課題】
しかしながら、こうした構造の濃淡バーナでは、各々のバーナユニットに対して燃料ガスと燃焼用空気とが別々に供給されてその内部で各々を混合させて淡ガスと濃ガスを作るものであるために燃料ガスと燃焼用空気の分布をともに均一化する必要があり、燃料ガスに対してはガスノズル、燃焼用空気に対してはダンバーなどによって調整している。このため、各々のバーナユニットの混合気の濃度及び供給量にバラツキが生ずることは避けられず、燃焼の良好化、安定化は期待できないものであった。
この発明の燃焼バーナにおける混合ガス等の分布装置は上記課題を解決し、各々のバーナユニットの上流側に各々のバーナユニットへの混合ガス等の供給量、濃度などを均一化する分布室を設けてバーナ燃焼の良好化、安定化を図り、併せて、構造の簡略化による低コスト化及びコンパクト化をも図った燃焼バーナにおける混合ガス等の分布装置の提供を目的としている。
【０００４】
【課題を解決するための手段】
上記課題を解決するこの発明の請求項１の燃焼バーナにおける混合ガス等の分布装置は、
多数のバーナユニットを上面に備え、中央の第１の混合比のガス室を挟んで長手方向の両側に第２の混合比のガス室を横方向の仕切壁で分割して設け、かつ上記各々の分割室に複数のバーナユニットへ均一に分散して供給するための邪魔板を備えた箱状の分布室と、
燃料ガスと一次空気を第１の混合比のガスと第２の混合比のガスに分けて各別に前記分布室の第１の混合比のガス室と第２の混合比のガス室に供給する混合室とを備えた燃焼バーナであって、
前記分布室は、前記各ガス室の中央部を縦方向の仕切壁で分割し、かつ各分割室の底面に縦方向の仕切壁を挟んで隣接した第１の混合比のガス又は第２の混合比のガス用の導入開口を設け、前記混合室の第１の混合比のガス又は第２の混合比のガスを前記縦方向の仕切壁を挟んで隣接した第１の混合比のガス又は第２の混合比のガス用の導入開口に導入条件を同一に保って導入し内側から外側に向けて流すことを要旨とする。
【０００５】
上記課題を解決するこの発明の請求項２記載の燃焼バーナにおける混合ガス等の分布装置は、上記請求項１記載の燃焼バーナにおける混合ガス等の分布装置において、
上記導入開口は、比較的小さい開口面積を有していることを要旨とする。
【０００６】
上記課題を解決するこの発明の請求項３記載の燃焼バーナにおける混合ガス等の分布装置は、上記請求項１記載の燃焼バーナにおける混合ガス等の分布装置において、
上記邪魔板は、無数の分散開口を有するパンチングメタル状の平板体であることを要旨とする。
【０００７】
上記課題を解決するこの発明の請求項４記載の燃焼バーナにおける混合ガス等の分布装置は、上記請求項１記載の燃焼バーナにおける混合ガス等の分布装置において、
上記邪魔板は、無数の分散開口を有する網状の平板体であることを要旨とする。
【０００８】
上記課題を解決するこの発明の請求項５の燃焼バーナにおける混合ガス等の分布装置は、上記請求項１乃至４のいずれかに記載の燃焼バーナにおける混合ガス等の分布装置において、
上記邪魔板は、各々の分割室の全体又は導入開口の上面にだけ備えられていることを要旨とする。
【０００９】
上記課題を解決するこの発明の請求項６の燃焼バーナにおける混合ガス等の分布装置は、上記請求項１乃至５のいずれかに記載の燃焼バーナにおける混合ガス等の分布装置において、
上記分布室を予混合濃淡燃焼バーナに適用したことを要旨とする。
【００１０】
上記課題を解決するこの発明の請求項７の燃焼バーナにおける混合ガス等の分布装置は、上記請求項１乃至６のいずれかに記載の燃焼バーナにおける混合ガス等の分布装置において、
上記分布装置を複数個並べて一体構成したことを要旨とする。
【００１１】
上記構成を有するこの発明の請求項１記載の燃焼バーナにおける混合ガス等の分布装置は、多数のバーナユニットを並列状に備えた燃焼バーナにおいて、多数のバーナユニットを上面に備えた比較的浅い箱状の分布室を２つ以上に分割し、この分割された各々の分割室の底面に混合ガス等を分割室内へ導入する導入開口を仕切壁を挟んで隣接して設け、かつ、上記各々の分割室には混合ガス等を複数のバーナユニットへ均一に分散して供給するための邪魔板を備えた構成としたので、導入開口から分割室へ導入される混合ガス等は、導入開口が仕切壁を挟んで隣接して設けられ、混合ガス等が各々の分割室へ導入される条件が同一となることから、各々の分割室を内側から外側へ向いて流れ上昇時に邪魔板により各部均等に分散されて分割室の上面に備えられている多数のバーナユニットの各々に均一に供給される。したがって、混合ガス等の分散供給は各分割室とも同一条件のもとに適正に行われるのである。この結果、混合ガス等が各々のバーナユニットに供給される際にその量を均一化して燃焼の良好性と安定性を図ることができ、ガス量のバランスが崩れることによる燃焼の不安定性は解消され、各々のバーナユニット内の濃度分布も均一となる。
また、上記分散供給動作により箱状の分布室全体を浅くて小型とすることが可能なため、燃焼バーナのコンパクト化も実現できる。
【００１２】
上記構成を有するこの発明の燃焼バーナにおける混合ガス等の分布装置は、上記仕切壁に近接して設けられた各々の分割室の導入開口は、仕切壁を挟んで隣接されているので、各々の分割室へ導入される混合ガス等の導入条件を同一とすることができる。この結果、混合ガス等の分散供給は各分割室とも同一条件のもとに適正、かつ、安定的に行われるのである。
【００１３】
上記構成を有するこの発明の請求項２記載の燃焼バーナにおける混合ガス等の分布装置は、混合ガス等の分散供給をより促進するために、上記導入開口を比較的小さい開口面積とすることで、混合ガス等は１つに集められて分割室へ導入される。この結果、混合ガス等が導入される側の条件の同一性と相まって分割室への分散供給がより適正に行われるのである。
【００１４】
上記構成を有するこの発明の請求項３記載の燃焼バーナにおける混合ガス等の分布装置は、上記邪魔板を無数の分散開口を有するパンチングメタル状の平板体としたので、無数の分散開口（小孔）で邪魔板を流過する混合ガス等は斑なく各部均等に分散され各々のバーナユニットへ均一に供給される。この結果、燃焼の良好性と安定性とが確実に得られるのである。
【００１５】
上記構成を有するこの発明の請求項４記載の燃焼バーナにおける混合ガス等の分布装置は、上記邪魔板を無数の分散開口を有する網状の平板体としたので、上記請求項４の邪魔板と同様に無数の分散開口（網目）で邪魔板を流過する混合ガス等は斑なく各部均等に分散され各々のバーナユニットへ均一に供給される。この結果、燃焼の良好性と安定性とが確実に得られるのである。
【００１６】
上記構成を有するこの発明の請求項５記載の燃焼バーナにおける混合ガス等の分布装置は、上記邪魔板を各々の分割室の全体又は導入開口の上面にだけ備えたので、邪魔板による混合ガス等の分散効果は分割室の全体に備えた場合は勿論、導入開口の上面にだけ備えた場合でも導入開口から導入された混合ガス等は邪魔板に当って拡散しその殆んどが外側に向けて流れ各部均等に分散されるから、略同一の効果が得られる。この結果、燃焼の良好性と安定性とが確実に得られるのである。なお、上記導入開口の上面にだけ邪魔板を備える場合、邪魔板にパンチングメタル状又は網状の分散開口を設けるのが望ましいが、分散開口のない板状体だけとしても略同様の作用、効果が得られるものである。
【００１７】
上記構成を有するこの発明の請求項６記載の燃焼バーナにおける混合ガス等の分布装置は、上記構造の分布装置を予混合濃淡燃焼バーナに適用したので、予め別々の混合室で均一濃度に混合された濃、淡の予混合気を各々のバーナユニットの淡炎口と濃炎口へ均等に分布して確実に供給することができる。この結果、偏流によるバラツキをなくし常時安定した濃淡燃焼が得られるのである。
【００１８】
上記構成を有するこの発明の請求項７記載の燃焼バーナにおける混合ガス等の分布装置は、上記単一の分布室を複数個並べて一体構成したので、たとえば、上記請求項６の予混合濃淡燃焼バーナのバーナユニットのように、複数に区画されたガス通路に通ずる複数個の淡炎口と該淡炎口の両側に区画して設けられた予混合気導入口に通ずる濃炎口とを一体に備えてなるバーナユニットなどを使用する場合に便利である。この結果、バーナユニットの濃、淡炎口にそれぞれの予混合気が均一に分布されて各別に供給されるのである。
【００１９】
【発明の実施の形態】
以上説明したこの発明の構成、作用を一層明確にするために、以下この発明の燃焼バーナにおける混合ガス等の分布装置の好適な実施の形態の一例について、図面を参照して説明する。
【００２０】
図１乃至図５はこの発明の分布装置を予混合濃淡燃焼バーナに適用した場合を示し、また、図６乃至図２０はその単一分布室の一例を示したものであって、この発明の適用される予混合濃淡燃焼バーナは、燃料ガスと燃焼用空気（以下この実施形態においては一次空気という）とを濃淡によって予め所定の濃度に混合する混合室Ａと、該混合室Ａに混合用の一次空気を供給するとともに、予混合気を後述する濃、淡ノズル１、２へ確実に供給するためのターボファンＦと、複数に区画された淡用ガス通路３に通ずる複数個の淡炎口４に形成される淡火炎を主炎ａとし、該淡炎口４の両側の濃用ガス通路５に通ずる複数個に区画された濃炎口６に形成される濃火炎を袖火ｂとする多数のバーナユニット７を並列状に備えたバーナ群Ｂと、上記バーナ群Ｂの各々のバーナユニット７の複数に区画された淡用ガス通路３の接続口３ａと区画されない両側の濃用ガス通路５の接続口５ａとに適合する複数の淡ノズル１と２つのノズル孔２ａ、２ｂを有する濃ノズル２をプレート面８に鉛直方向に向けて一体形成したノズル台Ｃと、上記ノズル台Ｃの下部に備えたこの発明の主要部である分布室Ｄと、上記混合室Ａの淡用混合室Ａ１と濃用混合室Ａ２にガス導入路９からの燃料ガスが分岐路１０、１１及び濃、淡ガスノズル管１２、１３を介してそれぞれ適量供給されるガス供給部Ｅと、このガス供給部Ｅに備えられた切替電磁弁Ｖ１、Ｖ２によるガス制御部Ｍとを主要な構成要素とするものである（図１参照）。
【００２１】
そこで、上記混合室Ａは淡用ガスノズル管１２を挿入臨設した淡用混合室Ａ１と濃用ガスノズル管１３を挿入臨設した濃用混合室Ａ２とを隔壁で区画して各別に備えられており、この混合室Ａの淡用混合室Ａ１と濃用混合室Ａ２とには混合用の一次空気を供給するターボファンＦの吹出口１４、１５がそれぞれ接続されて淡用混合室Ａ１で予め決められた濃度の淡ガスを燃料ガスと一次空気を混合して作り、また、濃用混合室Ａ２では予め決められた濃度の濃ガスを燃料ガスと一次空気を混合して作るものである。なお、上記ガス供給部Ｅから濃、淡ガスノズル管１２、１３に至った燃料ガスは濃、淡ガスノズル管１２、１３の先端外周部の円周方向に等間隔を保って穿った複数のノズル孔１６、１７から軸線方向に流れる一次空気と直交する方向に向けて放射状に噴出しこのガス噴流が一次空気の流れの中に噴出することで一次空気との混合がコンパクトに行いうるようになっている。また、濃、淡のガス量としては淡ガスによる主炎ａと濃ガスによる袖火ｂとの関係などから、淡用の燃料ガスが全体の６０％、濃用の燃料ガスは同４０％位が最適である。
【００２２】
上記混合室Ａ上部には上面にノズル台Ｃを備えた分布室Ｄが備えられ、この分布室Ｄはその深さｈが比較的浅い箱状をなしており、仕切壁１８により淡用ガス室１９を２つに分割し、また、濃用ガス室２０も同じく仕切壁２１により２つに分割するとともに、二次空気用空気室２２も仕切壁２３により２つに分割している。そして、上記淡用ガス室１９は中央の濃用ガス室２０を挟んで長手方向の両側に設けられ、二次空気用空気室２２は一方の淡用ガス室１９の外側に一体形成されている（図２及び図４参照）。
【００２３】
上記淡用ガス室１９の底面に淡ガス導入開口２４を縦横の仕切壁１８に近接して設け、この導入開口２４は縦方向（幅狭方向）の仕切壁１８を挟んで隣接されており、その開口面積は比較的小さく形成されている。また、上記濃用ガス室２０の底面にも濃ガス導入開口２５が同じくその仕切壁２１に近接して設けられ、この導入開口２５は仕切壁２１を挟んで隣接されており、その開口面積は比較的小さく形成されている。さらに、上記二次空気用空気室２２の底面にも二次空気導入開口２６がその仕切壁２３に近接して設けられ、この導入開口２６は仕切壁２３を挟んで隣接されており、その開口面積は比較的小さく形成されている（図２及び図４参照）。なお、濃用ガス室２０と二次空気室２２の横方向（長手方向）の仕切壁は淡用ガス室１９の横方向の仕切壁１８が兼備している。
【００２４】
上記淡用ガス室１９、濃用ガス室２０及び二次空気用空気室２２にはその略中程に無数の分散開口を有するパンチングメタル状又は網状の平板体からなる邪魔板２７、２８及び２９を水平状に設けている。たとえば、図６乃至図８に例示されている単一の淡側分布室Ｄでパンチングメタル状の平板状からなる邪魔板２７を各々の淡用ガス室１９の全体に備えており、図９乃至図１１に例示されている単一の淡側分布室Ｄにあっては、網状の平板体からなる邪魔板２７を各々の淡用ガス室１９の全体に備えている。また、図１２乃至図１４に例示されている単一の淡側分布室Ｄでは、導入開口２４の上面にだけパンチングメタル状の平板体からなる邪魔板２７を設けており、図１５乃至図１７に例示されている単一の淡側分布室Ｄにあっては、導入開口２４の上面にだけ網状の平板体からなる邪魔板２７を設けている。さらに、図１８乃至図２０に例示されている単一の淡側分布室Ｄでは、導入開口２４の上面にだけパンチングメタル状又は網状の分散開口のない板状体だけの邪魔板２７を設けている。
【００２５】
また、給気用ファンとしてターボファンを用いるのは、一次空気をバーナ群Ｂとは別体の混合室Ａで燃料ガスと混合し、その予混合気をバーナ群Ｂの各バーナユニット７に分布室Ｄを介して均一に分布して供給するために、従来のバーナ自身の混合室への燃料ガスのみの供給と異なり、従来の十数倍の流量である濃、淡混合気を通過させなければならないので、その通過抵抗が大きくなることから、従来のシロッコファンでは圧力不足のため、高圧力のターボファンを用いるのが効果的だからである。また、ノズル台Ｃの一側で濃、淡ノズル１、２間の位置には二次空気用ノズル３０を設け、この二次空気用ノズル３０にターボファンＦからの空気が分布室Ｅに付設した二次空気用空気室２２を経て供給され、ガイド板３１でバーナ群Ｂ側に導かれるようになっている。さらに、上記バーナ群Ｂの各々のバーナユニット７は、淡バーナ部材３２と濃バーナ部材３３からなり、これらは板金によるプレス成形及びスポット溶接などにより作られるもので、淡ガス出口に淡炎口４を構成するスリット部材３４を嵌着し、このスリット部材３４による淡炎口４の両側に無炎口の環流域３５を介して濃炎口６が形成された構成となっている（図５参照）。
【００２６】
上記構成において、燃料ガスと一次空気を淡ガスと濃ガスに分けて各別の混合室Ａ１、Ａ２で予め決められた濃度に混合して各々の混合室Ａ１、Ａ２から分布室Ｄで各部均等に分散されノズル台Ｃの濃、淡ノズル１、２を介してバーナ群Ｂの各々のバーナユニット７の淡炎口４と濃炎口６に濃、淡ガスがそれぞれ供給され淡ガスによる主炎ａを濃ガスによる袖火ｂで保炎した状態のもとに安定した良好燃焼が行いうるものである。
【００２７】
上記濃淡燃焼において、淡用混合室Ａ１から分布室Ｄに至る淡ガスは、仕切壁１８に近接して相隣接する比較的開口面積の小さい淡用導入開口２４から各々の淡用ガス室１９へその導入条件を同一に保って導入され内側から外側に向けて流れ上昇時に邪魔板２７により各部均等に拡散分布されその量を均一化してノズル台Ｃの各々の淡ノズル１から噴出し各々のバーナユニット７の区画された淡用ガス通路３を経て複数個の淡炎口４にそれぞれ供給し、淡炎口４に淡ガスによる主炎ａを形成する。
また、濃用混合室Ａ２から分布室Ｄに至る濃ガスは仕切壁２１に近接して相隣接する比較的開口面積の小さい濃用導入開口２５から各々の濃用ガス室２０へその導入条件を同一に保って導入され内側から外側に向けて流れ上昇時に邪魔板２８により各部均等に拡散分布されその量を均一化してノズル台Ｃの各々の濃ノズル２のノズル孔２ａ、２ｂから噴出し各々のバーナユニット７の１つのガス通路５を経て区画された複数個の両側の濃炎口６にそれぞれ供給し、濃炎口６に濃ガスによる袖火ｂを形成し淡ガスによる主炎ａを両側の袖火ｂにより保炎するものである。
【００２８】
上記淡ガス及び濃ガスを拡散分布してその量を均一化する邪魔板２７、２８は、濃、淡用ガス室１９、２０の全体に設けるほか、一側寄りの導入開口２４、２５の上面にだけ設けても導入開口２４、２５から上方に向けて導入される濃、淡ガスは、先ず、邪魔板２７、２８に当って拡散しその殆どが外側上方に向けて流れ各部均等に分散されてその量を均一化する。
また、邪魔板２７、２８にはパンチングメタル状又は網状の分散開口を設けるのが望ましいが、導入開口２４、２５の上面にだけ設ける場合は、単なる板状体だけの邪魔板としても略同様の作用、効果が得られるものである。
【００２９】
なお、ターボファンＦから分布室Ｄに付設された二次空気用空気室２２に至った空気は、上記淡ガス及び濃ガスと同じように仕切壁２３に近接して相隣接する比較的開口面積の小さい導入開口２６から各々の二次空気用空気室２２へその導入条件を同一に保って導入され内側から外側に向けて流れ上昇時に邪魔板２９により各部均等に拡散分布されその量を均一化してノズル台Ｃの各々の二次空気用ノズル３０から噴出しガイド板３１を介してバーナ群Ｂ側に導くようになっている。
【００３０】
以上この発明の実施の形態の一例について説明したが、この発明はこうした実施の形態のものに何等限定されず、この発明の要旨を逸脱しない範囲において種々なる形態で実施しうることは勿論である。たとえば、実施の形態では予混合濃淡燃焼バーナの淡ガスと濃ガス及び二次空気の均一分布について説明したが、燃焼バーナの燃料ガスの均一分布又は燃焼用空気の均一分布だけにも適用できる。
また、この発明を実施するための主要素である分布室を含む混合室、ノズル台、バーナユニット、ターボファンなどの各構成要素の相互関係及びこれらの構造はこの発明の技術思想を満足する限り種々なる改変が可能である。
【００３１】
【発明の効果】
この発明は以上説明したような形態で実施され、以下に記載されるような効果を奏する。
【００３２】
この発明の燃焼バーナにおける混合ガス等の分布装置は、燃焼性能改善の目的で、多数のバーナユニットを並設してなる燃焼バーナにおいて、箱状の分布室を２つ以上に分割し、各分割室の中央部の縦方向の仕切壁を挟んで隣接した導入開口を設け、各々の分割室へ導入される混合ガス等の導入条件を同一に保って内側から外側に向けて流すことで各々のバーナユニットに供給される際にその量を均一化して、バーナ燃焼の良好性と安定性を高めることができるものである。したがって、ガス量のバランスが崩れることによる燃焼の不安定性は解消され、各々のバーナユニット内の濃度分布も均一化できる。また、上記手法にれば箱状の分布室を浅くて小型とすることができるので、燃焼バーナも小型化できる。
【００３３】
また、パンチングメタル状又は網状の平板体からなる邪魔板で混合ガス等の拡散分布を行うため、斑なく各部均等に分散して各々のバーナユニットへ均一に供給できる。したがって、偏流によるバラツキをなくし常時安定したバーナ燃焼が得られるものである。
【００３４】
さらに、構造の簡略化と組付け作業の容易化などと相まってコスト的にも極めて安価に提供できるものである。
【図面の簡単な説明】
【図１】  この発明の分布装置を予混合濃淡燃焼バーナに適用した場合の一例を示し一部を切断した全体の概略側面図である。
【図２】  分布室の一例を示した一部切欠平面図である。
【図３】  その一部切断側面図である。
【図４】  その縦断正面図である。
【図５】  バーナユニットの炎口部だけの断面図である。
【図６】  単一分布室の一例を示し邪魔板をパンチングメタル状の板状体とした場合の縦断側面図である。
【図７】  その平面図である。
【図８】  その縦断正面図である。
【図９】  同邪魔板を網状の板状体とした場合の縦断側面図である。
【図１０】  その平面図である。
【図１１】  その縦断正面図である。
【図１２】  同パンチングメタル状の板状体からなる邪魔板を導入開口の上面にだけ設けた場合の縦断側面図である。
【図１３】  その平面図である。
【図１４】  その縦断正面図である。
【図１５】  同網状の板状体からなる邪魔板を導入開口の上面にだけ設けた場合の縦断側面図である。
【図１６】  その平面図である。
【図１７】  その縦断正面図である。
【図１８】  板状体だけの邪魔板を導入開口の上面にだけ設けた場合の縦断側面図である。
【図１９】  その平面図である。
【図２０】  その縦断正面図である。
【符号の説明】
Ａ…混合室
Ａ１…淡用混合室
Ａ２…濃用混合室
Ｂ…バーナ群
Ｃ…ノズル台
Ｄ…分布室
Ｅ…ガス供給部
Ｍ…ガス制御部
７…バーナユニット
１９…淡用ガス室（分割室）
２０…濃用ガス室（分割室）
１８…仕切壁
２１…仕切壁
２４…淡ガス導入開口
２５…濃ガス導入開口
２７…淡用ガス室の邪魔板
２８…濃用ガス室の邪魔板
【図１】
0003793872.tif 000002
【図２】
0003793872.tif 000003
【図３】
0003793872.tif 000004
【図４】
0003793872.tif 000005
【図５】
0003793872.tif 000006
【図６】
0003793872.tif 000007
【図７】
0003793872.tif 000008
【図８】
0003793872.tif 000009
【図９】
0003793872.tif 000010
【図１０】
0003793872.tif 000011
【図１１】
0003793872.tif 000012
【図１２】
0003793872.tif 000013
【図１３】
0003793872.tif 000014
【図１４】
0003793872.tif 000015
【図１５】
0003793872.tif 000016
【図１６】
0003793872.tif 000017
【図１７】
0003793872.tif 000018
【図１８】
0003793872.tif 000019
【図１９】
0003793872.tif 000020
【図２０】
0003793872.tif 000021